(57)【特許請求の範囲】
【請求項１】
水中での使用に供され、かつ以下の要件を備えたことを特徴とする磁気泳動表示装置。
（イ）磁気泳動表示装置本体の一側には持ち手が形成されていること
（ロ）上記磁気泳動表示装置本体の縁に、磁気泳動表示装置の表示面を照明する発光装置を着脱自在に備えていること
（ハ）上記磁気泳動表示装置本体の適宜個所に、発音装置を着脱自在に備えていること
（ニ）上記発光装置は１つのスイッチの操作により発光、点滅、消灯を繰り返すものであること
【請求項２】
前記発光装置は、以下の要件を備えている、請求項１記載の磁気泳動表示装置。
（イ）前記磁気泳動表示装置本体の縁に着脱可能な取付部と、取付部から延伸されるアームと、アームの先端に設けられた発光部とを有すること
（ロ）発光部はＬＥＤ（発光ダイオード）とＬＥＤを包囲する半透明の横長のカバー材とによって形成されていること
（ハ）上記ＬＥＤは１つのスイッチの操作により発光、点滅、消灯を繰り返すものであること
【請求項３】
前記発音装置は、以下の要件を備えている、請求項１又は２記載の磁気泳動表示装置。
（イ）前記磁気泳動表示装置本体の縁に着脱可能な取付部を有すること
（ロ）内部には密閉された中空部が形成され、中空部内には複数の粒状部材が収納されていること
【請求項４】
前記磁気泳動表示装置本体の裏面は、鉛筆による筆記可能な粗面に形成された、請求項１、２又は３記載の磁気泳動表示装置。
【請求項５】
前記磁気泳動表示装置本体には、表示面を覆うカバーを設けた、請求項１記載の磁気泳動表示装置。
【発明の詳細な説明】
【０００１】
【発明の属する技術分野】
本発明は複数の人間が水中でコミュニケーションできる磁気泳動表示装置に関する。
【０００２】
【従来の技術】
一般に、複数のダイバーが水中に潜ったときは、口にマウスピースを嵌めているので、互いの意思を伝達することはできず、手や足で表現するしかなかった。そのため、水中で意思の疎通を欠き、事故につながる可能性も考えられる。
【０００３】
これに対し、従来から子どもを中心に磁気泳動表示装置が使用されてきた。これは磁性粒子を密封した描画板の表面を磁気ペンでなぞることにより、磁性粒子を磁気ペンの磁力で描画面まで浮上させて描画し、消去部材の磁力で浮上させた磁性粒子を元の位置に沈降させるもので、何度でも繰り返し使用できるものである。
【０００４】
このような磁気泳動表示装置は主に低年齢の子どもの知育玩具として支持されているが、その他の用途の開発も求められていた。
【０００５】
【発明が解決しようとする課題】
本発明は上記問題点を解消し、主に水中での意思伝達手段として使用することに適合した磁気泳動表示装置を提供することをその課題とする。
【０００６】
【課題を解決するための手段】
前記課題を解決するため、本発明に係る磁気泳動表示装置は、水中での使用に供され、かつ以下の要件を備えることを特徴とする。
（イ）磁気泳動表示装置本体の一側には持ち手が形成されていること
（ロ）上記磁気泳動表示装置本体の縁に、磁気泳動表示装置の表示面を照明する発光装置を着脱自在に備えていること
（ハ）上記磁気泳動表示装置本体の適宜個所に、発音装置を着脱自在に備えていること
（ニ）上記発光装置は１つのスイッチの操作により発光、点滅、消灯を繰り返すものであること
【０００７】
なお、前記発光装置は、以下の要件を備えるように構成してもよい。
（イ）前記磁気泳動表示装置本体の縁に着脱可能な取付部と、取付部から延伸されるアームと、アームの先端に設けられた発光部とを有すること
（ロ）発光部はＬＥＤ（発光ダイオード）とＬＥＤを包囲する半透明の横長のカバー材とによって形成されていること
（ハ）上記ＬＥＤは１つのスイッチの操作により発光、点滅、消灯を繰り返すものであること
【０００８】
また、前記発音装置は、以下の要件を備えるように構成してもよい。
（イ）前記磁気泳動表示装置本体の縁に着脱可能な取付部を有すること
（ロ）内部には密閉された中空部が形成され、中空部内には複数の粒状部材が収納されていること
【０００９】
さらに、前記磁気泳動表示装置本体の裏面は、鉛筆による筆記可能な粗面に形成するのがよい。
【００１０】
さらに、前記磁気泳動表示装置本体には、表示面を覆うカバーを設けるのが好ましい。
【００１１】
【発明の詳細な説明】
【発明の実施の形態】
図１は磁気泳動表示装置を示すもので、この磁気泳動表示装置は磁気泳動表示装置本体１と発光装置２と発音装置３とから構成されている。なお、磁気泳動表示装置本体１には、磁気ペン４が付属している。
【００１２】
磁気泳動表示装置本体１は、磁性粒子を密封したハニカムボードを内蔵した表示板１ａの表面を磁気ペン４でなぞることにより、磁性粒子を磁気ペン４の磁力で描画面まで浮上させて描画し、消去部材５を左右に移動させて消去部材５の磁力で浮上させた磁性粒子を元の裏側の位置に沈降させるもので、公知の磁気画板と同じ構造を有するものを利用すればよい。
【００１３】
磁気泳動表示装置本体１の裏面は、鉛筆によって筆記できるように粗面に形成されている。
【００１４】
磁気泳動表示装置本体１の一側には持ち手７が形成されている。持ち手７の表側は凹状に形成され、その内側にはスパイラルコード８の収納部９が形成されている。また、持ち手７の近傍には磁気ペン４の収納部９が形成されている。磁気ペン４には上記スパイラルコード８が連結されている。
【００１５】
なお、磁気ペン４は図２のように２本着脱構造とし、元側に鉛筆４ａを設け、磁気ペン４の基部側を筒状にして鉛筆側に嵌合させる構造にすればよい。
【００１６】
磁気泳動表示装置本体１には、図１に示されるような表示面を覆う保護カバー１０を設けてもよい。なお、保護カバー１０は耐衝撃性の高い素材、たとえばウレタン等で構成するのが好ましく、また磁気泳動表示装置本体１２の４隅に係脱自在に取りつければよい。
【００１７】
また、磁気泳動表示装置本体１の縁には発光装置２が配置されている。この発光装置２は、図３に示されるように、磁気泳動表示装置本体１の縁に着脱可能な取付部１１と、取付部１１から延伸されるアーム１２と、アーム１２の先端に設けられた発光部１３とを有するものである。
【００１８】
磁気泳動表示装置本体１の上縁の裏面６側には２つの凹部１４、１５が形成され、両凹部１４、１５には顎部１６が形成されている。
【００１９】
取付部１１は、２個のクリップ片１７を軸１８を介して回動自在に連結し、合成樹脂製の弾性片１９によって常に一方の側が閉じるように付勢した留め金具２０によって形成されている。クリップ片１７の閉じ側の端部には、溝２１が向き合いに形成されている。また、一方のクリップ片１７には起立片２２が対向形成され、起立片２２間には軸２３が固定されている。軸２３にはアーム１２の一端がきつめに嵌合され、アーム１２の他端には発光部１３の軸２４がきつめに嵌合されている。
【００２０】
発光部１３は、ボックス状の本体１３ａと本体１３ａに取りつけられた発光部１３とから構成されている。本体２ａの内部には電池とＩＣ基板とスイッチ２７とＬＥＤ（発光ダイオード）２５とを一体に結合したユニット２６が配置されている。
【００２１】
また、発光装置本体２ａの上部にはシールされた有弾性ボタン２８が設けられ、ボタン２８の裏側には押圧部２９が突出形成され、押圧部２９は上記スイッチ２７を押圧可能に配置され、バネ３０によってスイッチ２７から離間するように付勢されている。
【００２２】
なお、上記ボタン２８を押す度毎にスイッチ２７がオンオフを繰り返すとともに、１回のオンオフ操作によりＬＥＤ２５が発光、点滅、消灯を繰り返すように構成されている。
【００２３】
発光部１３は、ＬＥＤ２５とＬＥＤ２５を包囲する半透明の横長のカバー材３２とによって形成されている。すりガラスのような半透明にすることにより、ＬＥＤ２５から発光される光が拡散されて広がるようになる。
【００２４】
なお、発光装置２は、図４のように、上記磁気泳動表示装置本体１の上縁裏側の凹部１４、１５の顎部１６をクリップ片１７で挟み込むようにして装着すればよい。クリップ片１７を開けば取り外すことができる。
【００２５】
次に、上記磁気泳動表示装置本体１の持ち手７と反対側の側縁には、発音装置３が着脱自在に備えられている。
【００２６】
図５に示されるように、磁気泳動表示装置本体１の側縁には膨突部３３が突設され、その基部には係止溝３４が形成されている。これに対し、発音装置３は内部に密閉された中空部３５を有し、中空部３５内にはステンレス等の複数の粒状部材３６が収納されている。そして、発音装置３の一側には対向する係止片３７が形成され、これによって取付部１１が構成されている。係止片３７は上記膨突部３３を挟みこんでその先端の係止溝３４に弾発的に係止され、強く引っ張れば係止が外れるように形成されている。
【００２７】
なお、発音装置３はスピーカから音を出すものであってもよい。
【００２８】
次に、上記磁気泳動表示装置の使用態様について説明すると、上述のように磁気泳動表示装置本体１に発光装置２と発音装置３とを装着し、身体の適宜部位に付けて水中に潜る。潜水中に誰かとコミュニケーションを取る必要が生じたときは、磁気泳動表示装置を取り出し、持ち手７を持って上下に振る。これにより発音装置３の粒状部材３６が中空部３５内で激しく動くから、音が発生する。音は水中でも伝播するから、相手の耳に届く。ボタン２８を押してＬＥＤ２５を発光させてもよい。他人の注意を引くとき、あるいは緊急のときは、ＬＥＤ２５を点滅させるのが有効である。いずれの場合も、１個のボタン操作でできるので便利である。
【００２９】
相手が気づいたら、ＬＥＤ２５を発光状態にして磁気ペン４で表示板１ａに文字や絵を描けばよい。そのとき、ＬＥＤ２５からの光はカバー材３２により拡散されて表示面がよく見えるが、アーム１２を調整してＬＥＤ２５が最もよく表示板１ａを照射するようにするのが好ましい。意思の伝達は文字を通じて行なわれるので、間違いが少ない。相手も同じ磁気泳動表示装置を持っていればよりスムーズに意思疎通を図ることができる。
【００３０】
なお、磁気泳動表示装置本体１の裏面６に鉛筆で筆記できるから、消したくない情報を裏面６に残すことができる。
【００３１】
このようにして、マウスピースをしたままでも細かいコミュニケーションができるので、水中での行動をより確実で安全なものにすることができる。
【００３２】
もちろん、発光装置２と発音装置３とを磁気泳動表示装置本体１とは別個に持ち、現場で組み立ててもよい。
【００３３】
陸上で使用するときは、発光装置２と発音装置３を外せばよい。
【００３４】
【発明の効果】
請求項１に係る発明によれば、水中で使用するときは、発音装置によって音を出し、意思を伝えようとする者を振り向かせる。次に、発光装置で磁気泳動表示装置本体の表示面を照らして表示面に文字等を表示すればよい。これによって良好なコミュニケーションを図ることができる。意思の伝達は文字を通じて行なわれるので、間違いが少ない。緊急のときは、ＬＥＤを点滅させるのが有効である。
【００３５】
このようにして、マウスピースをしたままでも細かいコミュニケーションができるので、水中での行動をより確実で安全なものにすることができる。
【００３６】
請求項２に係る発明によれば、発光装置は取付部によって磁気泳動表示装置本体に対して着脱され、発光はＬＥＤによって行なわれるから、小さいながらも十分な光量が得られる。しかも、カバー材によって光が拡散されるから、広い範囲を照射できる。
【００３７】
また、ＬＥＤによる発光、点滅、消灯は１つのスイッチによって行なわれるから、自由があまりきかない水中では操作が便利である。
【００３８】
請求項３に係る発明によれば、発音装置の中空部には複数の粒状部材が収納されているので、発音装置を装着した状態で磁気泳動表示装置本体を振ると、音が発せられる。この音は水中を伝わり、意思を伝えるべき相手の注意を促すことができる。
【００３９】
請求項４に係る発明によれば、磁気泳動表示装置本体の裏面に鉛筆で筆記できるから、消したくない情報を裏面に残すことができる。
【００４０】
請求項５に係る発明によれば、カバーによって磁気泳動表示装置本体の表示面を保護することができる。
【図面の簡単な説明】
【図１】本発明に係る磁気泳動表示装置の斜視図
【図２】磁気ペンの分解側面図
【図３】発光装置の装着前の状態を示す断面図
【図４】発光装置の装着状態を示す断面図
【図５】発音装置の装着状態を示す断面図
【符号の説明】
１  磁気泳動表示装置本体
２  発光装置
３  発音装置
【図１】
0003654862.tif 000002
【図２】
0003654862.tif 000003
【図３】
0003654862.tif 000004
【図４】
0003654862.tif 000005
【図５】
0003654862.tif 000006